(57)【要約】【課題】  複数のケーブルの中から速やかに特定のケーブルを見つけ出すことができる集合ケーブルを提供する。【解決手段】  ケーブルＬ１〜Ｌ２４のそれぞれには各回線の番号が記されたラベル５．１〜５．２４が貼り付けられる。ラベルは識別部と非識別部との境界に沿って識別部に設けられる。このようにラベルが設けられることにより、ラベルは各ケーブルの先端から集合コネクタ２のほうに、一定の距離を保ちながら順次ずれている。よって、各ケーブルに付された回線番号を容易に特定することができるとともに、複数のケーブルの中から所定の回線番号が付されたケーブルを大まかに特定することができる。【選択図】        図１
0003113181.tif 000002
【実用新案登録請求の範囲】
【請求項１】
コネクタと、
複数のケーブルとを備え、
前記複数のケーブルは、各々の第１の端部が共通して前記コネクタに接続され、各々の第２の端部が互いに独立して接続可能であり、
前記複数のケーブルの各々は、
前記第２の端部に設けられて、自己と自己以外の他のケーブルとを区別する識別部と、
前記識別部以外の部分である非識別部とを含み、
前記複数のケーブルの各々には、予め番号が振られ、
前記識別部と前記非識別部との境界の位置は、前記番号に従って順次変化する、集合ケーブル。
【請求項２】
前記複数のケーブルの各々の長さは、互いに同じである、請求項１に記載の集合ケーブル。
【請求項３】
前記集合ケーブルは、複数のラベルをさらに備え、
前記複数のラベルの各々には、前記番号が記載され、
前記複数のラベルの各々は、前記境界に沿って前記識別部に設けられる、請求項２に記載の集合ケーブル。
【請求項４】
前記複数のケーブルの各々は、前記識別部に第１の色が付され、前記非識別部に前記第１の色と異なる第２の色が付される、請求項２に記載の集合ケーブル。
【請求項５】
前記識別部は、前記番号に応じた単数または複数のマークが表面に記され、
前記単数または複数のマークは、ケーブルの長さ方向に沿って配置され、
前記境界の位置は、前記単数または複数のマークの個数に応じて定められる、請求項２に記載の集合ケーブル。
【請求項６】
前記単数または複数のマークは、所定の個数を単位として色分けされる、請求項５に記載の集合ケーブル。
【請求項７】
前記識別部は、長さが異なる第１、第２のマークの少なくとも一方を表面に有し、
前記第１、第２のマークは、それぞれ異なる２つの数を示し、
前記第１、第２のマークの各々の個数は、前記番号に応じて定められる、請求項２に記載の集合ケーブル。
【請求項８】
前記第１、第２のマークは、ケーブルの長さ方向に配置され、
前記第１、第２のマークの各々の色は、前記識別部に記される位置に応じて異なる、請求項７に記載の集合ケーブル。
【請求項９】
複数のケーブルを備え、
前記複数のケーブルの各々は、
自己と自己以外の他のケーブルとを区別するための第１の識別部と、
前記複数のケーブルのうち自己と所定の関係にあるケーブルを特定するための第２の識別部とを含み、
前記第１の識別部は、前記複数のケーブルの各々に応じた色が付され、
前記第２の識別部は、前記所定の関係にあるケーブルに含まれる前記第１の識別部の色と同じ色が付される、集合ケーブル。
【請求項１０】
前記集合ケーブルは、前記複数のケーブルの各々の第１の端部が共通して接続されるコネクタをさらに備え、
前記複数のケーブルの各々の第２の端部は、互いに独立して接続可能であり、
前記第２の識別部は、前記複数のケーブルの各々の前記第２の端部に設けられ、
前記第１の識別部は、前記複数のケーブルの各々の前記第２の識別部以外の部分に設けられる、請求項９に記載の集合ケーブル。
【請求項１１】
前記集合ケーブルは、複数のラベルをさらに備え、
前記複数のラベルの各々は、前記複数のケーブルのうち対応するケーブルに付された番号が記載され、
前記ラベルは、前記第１の識別部に設けられる、請求項９または請求項１０に記載の集合ケーブル。
【考案の詳細な説明】
【技術分野】
【０００１】
本考案は、複数のケーブルを備える集合ケーブルに関し、特に複数回線が集合する設備や機器と各回線に接続される複数の端末装置との間に用いられる集合ケーブルに関する。
【背景技術】
【０００２】
電話用交換機やネットワーク機器の接続に使用される集合ケーブルは、回線数に応じた複数（たとえば２４本）のケーブルによって構成される。各ケーブルの一端部はＴｅｌｃｏコネクタ（集合コネクタ）に接続され、他端部は互いに分離されてＲＪ−１１コネクタまたはＲＪ−１５コネクタ等の分岐コネクタに接続される。集合コネクタは、たとえばＡＤＳＬ（Asymmetric Digital Subscriber Line）やＶＤＳＬ（Very high-bit-rate Digital Subscriber Line）などの局側装置に接続され、分岐コネクタは端末装置に接続される。
【０００３】
局側装置から各端末装置には互いに独立した信号が送られる。局側装置は各回線に対する制御や管理を行なうので、端末装置にケーブルを接続する際には複数のケーブルの中から該当のケーブルを特定しなければならない。
【０００４】
回線数が多い場合には、複数のケーブルの中から、あるケーブルを特定するために要する時間が多くなる。従来の集合ケーブルでは、特定のケーブルを探す時間を短縮するために、たとえば回線番号を特定するための情報がケーブルごとに付されている。
【０００５】
図９は、従来の集合ケーブルを模式的に示す図である。
図９を参照して、集合ケーブル１１に含まれる各ケーブルの先端には回線番号が記載されたラベルが付されている。作業者はラベルに書かれた回線番号を手がかりにして、ある端末装置に対応したケーブルを特定する。
【０００６】
このようなケーブルの例として、実開平５−９０８３９号公報（特許文献１）には、多芯構造のケーブルの両端に透明な材料で形成されたコネクタが接続され、各芯線が色分けされることによりコネクタの配線状態を容易に認識することができる接続ケーブルが開示される。
【０００７】
また、実開平７−５２２０号公報（特許文献２）には、ケーブル心線外周面にバーコード記号表示部が複数設けられることにより、機械的手段によってケーブルを識別することが可能な通信ケーブルが開示される。
【特許文献１】実開平５−９０８３９号公報
【特許文献２】実開平７−５２２０号公報
【考案の開示】
【考案が解決しようとする課題】
【０００８】
図９に示される集合ケーブル１１では、ラベルは各ケーブルとも同じ位置に付されている。よって、ケーブルを端末装置に接続するために作業者がラベルを確認しようとしても、ラベル同士が重なり合うために確認しづらい。
【０００９】
複数の端末装置に付けられた順番と回線番号の順番とは一致しないことが多い。たとえば、回線番号が１のケーブルはマンションの２０５号室の電話回線に接続され、回線番号が２のケーブルはマンションの２０１号室の電話回線に接続されるような場合がある。よって、集合ケーブル１１においてラベルの確認が困難な場合、作業者は、あるケーブルを探すために最大で２４本のケーブルをすべて調べなければならない。同様に作業者はそのケーブルの次のケーブルを探すために、最大で２３本のケーブルをすべて調べなければならない。
【００１０】
実開平５−９０８３９号公報（特許文献１）に開示された接続ケーブルにおいては、配線状態を容易に確認できるのはケーブルの長さが２つのコネクタを同時に確認できる程度の長さである場合に限定される。
【００１１】
実開平７−５２２０号公報（特許文献２）に開示されたケーブルにおいては、ケーブルの識別のためにバーコード読取装置が必要である。また、ケーブルを複数のケーブルの中からあるケーブルを特定するために多くの時間がかかる。
【００１２】
本考案は上述の課題を解決するものであって、その目的は、複数のケーブルの中から速やかに特定のケーブルを見つけ出すことができる集合ケーブルを提供することである。
【課題を解決するための手段】
【００１３】
本考案は要約すれば、集合ケーブルであって、コネクタと、複数のケーブルとを備える。複数のケーブルは、各々の第１の端部が共通してコネクタに接続され、各々の第２の端部が互いに独立して接続可能である。複数のケーブルの各々は、第２の端部に設けられて、自己と自己以外の他のケーブルとを区別する識別部と、識別部以外の部分である非識別部とを含む。複数のケーブルの各々には、予め番号が振られる。識別部と非識別部との境界の位置は、番号に従って順次変化する。
【００１４】
好ましくは、複数のケーブルの各々の長さは、互いに同じである。
より好ましくは、集合ケーブルは、複数のラベルをさらに備える。複数のラベルの各々には、番号が記載される。複数のラベルの各々は、境界に沿って識別部に設けられる。
【００１５】
より好ましくは、複数のケーブルの各々は、識別部に第１の色が付され、非識別部に第１の色と異なる第２の色が付される。
【００１６】
より好ましくは、識別部は、番号に応じた単数または複数のマークが表面に記される。単数または複数のマークは、ケーブルの長さ方向に沿って配置される。境界の位置は、単数または複数のマークの個数に応じて定められる。
【００１７】
さらに好ましくは、単数または複数のマークは、所定の個数を単位として色分けされる。
【００１８】
より好ましくは、識別部は、長さが異なる第１、第２のマークの少なくとも一方を表面に有する。第１、第２のマークは、それぞれ異なる２つの数を示す。第１、第２のマークの各々の個数は、番号に応じて定められる。
【００１９】
さらに好ましくは、第１、第２のマークは、ケーブルの長さ方向に配置される。第１、第２のマークの各々の色は、識別部に記される位置に応じて異なる。
【００２０】
本考案の他の局面に従うと、集合ケーブルであって、複数のケーブルを備える。複数のケーブルの各々は、自己と自己以外の他のケーブルとを区別するための第１の識別部と、複数のケーブルのうち自己と所定の関係にあるケーブルを特定するための第２の識別部とを含む。第１の識別部は、複数のケーブルの各々に応じた色が付され、第２の識別部は、所定の関係にあるケーブルに含まれる第１の識別部の色と同じ色が付される。
【００２１】
好ましくは、集合ケーブルは、複数のケーブルの各々の第１の端部が共通して接続されるコネクタをさらに備える。複数のケーブルの各々の第２の端部は、互いに独立して接続可能である。第２の識別部は、複数のケーブルの各々の第２の端部に設けられ、第１の識別部は、複数のケーブルの各々の第２の識別部以外の部分に設けられる。
【００２２】
より好ましくは、集合ケーブルは、複数のラベルをさらに備える。複数のラベルの各々は、複数のケーブルのうち対応するケーブルに付された番号が記載される。ラベルは、第１の識別部に設けられる。
【考案の効果】
【００２３】
本考案の集合ケーブルによれば、複数のケーブルのそれぞれに目視にて確認可能な識別部を設け、識別部の長さや色を複数のケーブルのそれぞれに応じて変えることにより所定のケーブルを特定することができるので、ケーブルを特定するために要する時間を短縮することができる。
【考案を実施するための最良の形態】
【００２４】
以下において、本考案の実施の形態について図面を参照して詳しく説明する。なお、図中同一符号は同一または相当部分を示す。
【００２５】
［実施の形態１］
図１は、実施の形態１の集合ケーブルを示す図である。
【００２６】
図１を参照して、集合ケーブル１は電話用交換機、あるいはネットワーク機器の接続に使用される。集合ケーブル１は複数のケーブルＬ１〜Ｌ２４を含む。
【００２７】
ケーブルＬ１〜Ｌ２４のそれぞれの第１の端部は集合コネクタ２に接続される。集合コネクタ２はたとえば図示されない局側装置に接続される。ケーブルＬ１〜Ｌ２４のそれぞれの第２の端部は独立して接続可能であり、たとえば電話機用のＲＪ−１１コネクタ（図示せず）やＬＡＮ（Local Area Network）用のＲＪ−１５コネクタ（図示せず）に接続される。
【００２８】
ケーブルＬ１〜Ｌ２４は、それぞれ自己と自己以外の他のケーブルとを区別するための識別部３．１〜３．２４を含む。識別部は第２の端部側に設けられる。
【００２９】
ケーブルＬ１〜Ｌ２４のそれぞれは、さらに非識別部４．１〜４．２４を含む。非識別部とは各ケーブルにおいて識別部を除く部分である。たとえばケーブルＬ１は識別部３．１と非識別部４．１とを含む。識別部と非識別部との境界はケーブルに予め振られた回線番号に従って順次変化するように設けられる。
【００３０】
なお、以下の説明においてケーブルＬ１〜Ｌ２４はすべて同じ長さであるとして説明するが、ケーブルの長さにばらつきがある場合においても本考案の集合コネクタ２は適用可能である。
【００３１】
ケーブルＬ１〜Ｌ２４のそれぞれには各回線の番号が記されたラベル５．１〜５．２４が貼り付けられる。ラベルは識別部と非識別部との境界に沿って識別部に設けられる。このようにラベルが設けられることにより、ラベルは各ケーブルの先端から集合コネクタ２のほうに、一定の距離を保ちながら順次ずれている。よって、各ケーブルに付された回線番号を容易に特定することができるとともに、複数のケーブルの中から所定の回線番号が付されたケーブルを大まかに特定することができる。
【００３２】
複数のケーブルのそれぞれに異なる色が付された従来の集合ケーブルの場合、薄暗い場所ではケーブルの識別が困難であるが、実施の形態１の集合ケーブルではラベルの貼り付け位置がケーブルごとに異なるので、ケーブルＬ１〜Ｌ２４が回線番号順に揃えられている場合には一目で所定のケーブルを特定することができる。
【００３３】
また、ラベルの位置の情報だけで複数のケーブルの中からあるケーブルを大まかに特定することができる。たとえば、複数のケーブルの中からケーブルＬ５を探す場合、最初に見つけた１本のケーブルがケーブルＬ８であれば残りの２３本のケーブルのうち、ケーブルＬ８のラベルよりもケーブルの先端側にラベルがつけられたケーブルを探せばよい。つまり、７本の中からケーブルＬ５を探せばよいので２３本のケーブルをすべて調べるよりもケーブルを特定する時間が短縮される。
【００３４】
以上のように実施の形態１によれば、回線番号が書かれたラベルがケーブルに付され、かつ、ラベルの貼り付け位置が回線番号順にずれていることによって、所定のケーブルを容易に見つけることができる。
【００３５】
［実施の形態２］
図２は、実施の形態２の集合ケーブルを示す図である。
【００３６】
図２を参照して、集合ケーブル１Ａは、ケーブルＬ１〜Ｌ２３の各々における識別部と非識別部とが異なる二色に色分けされる点およびケーブルＬ２４には他のケーブルにおける識別部と同じ色が着けられている点で図１の集合ケーブル１と異なる。集合ケーブル１Ａの他の部分の構成は集合ケーブル１の対応する部分の構成と同様であるので以後の説明は繰り返さない。
【００３７】
ケーブルＬ１〜Ｌ２４のそれぞれの識別部３．１Ａ〜３．２４Ａはたとえば紺色に着色される。各ケーブルの非識別部はたとえば緑色に着色される。図中において、非識別部４．１Ａが緑色に着色される部分である。識別部の長さは回線番号が小さいほど短い。よって、識別部と非識別部との境界は回線番号に従って順次変化する。
【００３８】
実施の形態２は実施の形態１と同様に、ケーブルが回線番号順に揃えられている場合には一目で所定のケーブルを特定することができるとともに、所定のケーブルを複数のケーブルの中から大まかに特定することができる。
【００３９】
以上のように実施の形態２によれば、識別部と非識別部とのそれぞれに異なる色が付され、かつ、色の境界の位置がケーブルによって異なることにより、所定のケーブルを容易に見つけることができる。
【００４０】
［実施の形態３］
図３は、実施の形態３の集合ケーブルを示す図である。
【００４１】
図３を参照して、集合ケーブル１Ｂは、ケーブルＬ１〜Ｌ２４の各ケーブルに、それぞれの回線番号に応じた個数のカラーマークがケーブルの長さ方向に沿って付された識別部３．１Ｂ〜３．２４Ｂが含まれる点において、図１の集合ケーブル１と異なる。集合ケーブル１Ｂの他の部分の構成は集合ケーブル１の対応する部分の構成と同様であるので以後の説明は繰り返さない。なお、カラーマークの色はケーブル自身の色と異なる色である。
【００４２】
実施の形態３の場合、各ケーブルの回線番号はカラーマークの個数によって確認される。また、実施の形態３の場合、識別部３．１Ｂ〜３．２４Ｂの長さはカラーマークの個数に応じて定まる。識別部と非識別部との境界の位置はケーブルＬ１〜Ｌ２４のそれぞれで異なり、回線番号に従って順次変化する。よって、実施の形態１と同様に、実施の形態３ではケーブルが回線番号順に揃えられている場合には一目で所定のケーブルを特定することができるとともに、所定のケーブルを複数のケーブルの中から大まかに特定することができる。
【００４３】
以上のように実施の形態３によれば、回線番号に応じた個数のカラーマークがケーブルに付されていることにより、識別部と非識別部との境界の位置がケーブルによって異なるので所定のケーブルを容易に見つけることができる。
【００４４】
［実施の形態４］
図４は、実施の形態４の集合ケーブルを示す図である。
【００４５】
図４を参照して、集合ケーブル１Ｃは識別部３．１Ｂ〜３．２４Ｂに代えて識別部３．１Ｃ〜３．２４Ｃを含む点で図３の集合ケーブル１Ｂと異なる。集合ケーブル１Ｃの他の部分の構成は集合ケーブル１Ｂの対応する部分の構成と同様であるので以後の説明は繰り返さない。
【００４６】
識別部３．１Ｃ〜３．２４Ｃのそれぞれは、回線番号に応じた個数のカラーマークが付される点で識別部３．１Ｂ〜３．２４Ｂと同様であるが、カラーマークの色が５つのカラーマークを単位として異なる点で相違する。カラーマークは回線番号の小さい順に、たとえば赤、青、黄、緑、紫の色が付される。
【００４７】
実施の形態３と同様に、実施の形態４ではケーブルが回線番号順に揃えられている場合には一目で所定のケーブルを特定することができるとともに、所定のケーブルを複数のケーブルの中から大まかに特定することができる。
【００４８】
さらに実施の形態４の場合、カラーマークが色分けされていることにより、実施の形態３よりも回線番号を把握することが容易である。ケーブルの接続が回線番号の１番から順に行なわれない場合に実施の形態４の集合ケーブルは特に適している。具体的には、３番以後の回線番号のケーブルが接続される場合や、３番、１０番、２０番など特定の番号の回線に対して先にケーブルの接続が行なわれる場合である。
【００４９】
以上のように実施の形態４によれば、ケーブルに付されたカラーマークの色が所定のカラーマークの個数ごとに色分けされていることによって、実施の形態３よりも容易に所定のケーブルを見つけることができる。
【００５０】
［実施の形態５］
図５は、実施の形態５の集合ケーブルを示す図である。
【００５１】
図５を参照して、集合ケーブル１Ｄは識別部３．１Ｂ〜３．２４Ｂに代えて識別部３．１Ｄ〜３．２４Ｄを含む点で図３の集合ケーブル１Ｂと異なる。集合ケーブル１Ｄの他の部分の構成は集合ケーブル１Ｂの対応する部分の構成と同様であるので以後の説明は繰り返さない。
【００５２】
識別部３．１Ｄ〜３．２４Ｄは、長さが異なる２種類のマークの少なくとも一方が表面に付される。長いほうのカラーマークは数字の５を示し、短いほうのカラーマークは数字の１を示す。２種類のマークのそれぞれの個数は回線番号に応じてそれぞれ定められる。たとえばケーブルＬ１１の回線番号は１１であるので、ケーブルＬ１１の表面には長いカラーマークが２個、短いカラーマークが１個付される。
【００５３】
カラーマークの色とケーブルの色とは異なる。ただしカラーマークの色は長さによらず同じである。
【００５４】
短いカラーマークの５個分の長さは、長いカラーマーク１個分の長さに等しい。よって、各ケーブルの識別部と非識別部との境界は回線番号に従って変化する。
【００５５】
長さが異なる２種類のカラーマークが組み合わさることにより、実施の形態５では各ケーブルの回線番号を確認することが容易になる。実施の形態５の集合ケーブルは実施の形態４で説明した集合ケーブルの使用例に適している。つまり、集合ケーブル１Ｄはケーブルの接続が回線番号の１番から順に行なわれない場合に特に適している。
【００５６】
また、実施の形態５では実施の形態３と同様に、識別部と非識別部との境界が回線番号に従って順次変化する。よってケーブルＬ１〜Ｌ２４が回線番号順に揃えられている場合には一目で所定のケーブルを特定することができるとともに、所定のケーブルを複数のケーブルの中から大まかに特定することができる。
【００５７】
なお、長いカラーマークが示す数は５以外の数でもよく、たとえば１０でもよい。
以上のように、実施の形態５によれば、長さが異なる２種類のカラーマークがケーブルに付されることによって、実施の形態３よりも容易に所定のケーブルを見つけることができる。
【００５８】
［実施の形態６］
図６は、実施の形態６の集合ケーブルを示す図である。
【００５９】
図６を参照して、集合ケーブル１Ｅは識別部３．１Ｄ〜３．２４Ｄに代えて識別部３．１Ｅ〜３．２４Ｅを含む点で図５の集合ケーブル１Ｄと異なる。集合ケーブル１Ｅの他の部分の構成は集合ケーブル１Ｄの対応する部分の構成と同様であるので以後の説明は繰り返さない。
【００６０】
識別部３．１Ｅ〜３．２４Ｅは、長さの異なる２種類のカラーマークが表面に付されている点で実施の形態５と同様である。ただし２種類のカラーマークは識別部における位置に応じて異なる色が付される。カラーマークは５回線ごとに色を代えて表示され、具体的にはカラーマークは回線番号の小さい順に、たとえば赤、青、黄、緑、紫の色が付される。５回線ごとに色が変わる理由は、２種類のカラーマークのうち長いほうのカラーマークが数字の５を表わすためである。長いほうのカラーマークが１０を示すのであれば、カラーマークの色は１０回線ごとに変わるように定められる。
【００６１】
実施の形態６の場合、カラーマークが色分けされていることによって実施の形態５よりも回線番号を把握することが容易になる。また、実施の形態６ではケーブルが回線番号順に揃えられている場合には一目で所定のケーブルを特定することができるとともに、所定のケーブルを複数のケーブルの中から大まかに特定することができる。
【００６２】
以上のように、実施の形態６によれば、カラーマークの位置に応じてカラーマークの色を変えることにより、実施の形態５よりも容易に所定のケーブルを見つけることができる。
【００６３】
［実施の形態７］
図７は、実施の形態７の集合ケーブルを示す図である。
【００６４】
図７を参照して、集合ケーブル１Ｆは、ケーブルＬ１〜Ｌ２４の各ケーブルに、自己と他のケーブルと区別するための第１の識別部３．１Ｆ〜３．２４Ｆが含まれる。集合ケーブル１Ｆは、さらに、自己に付された回線番号の次の回線番号のケーブルを特定するための第２の識別部が含まれている点において図１の集合ケーブル１と異なる。なお、この第２の識別部はケーブルＬ１〜Ｌ２３のそれぞれの先端に設けられるが、図７では代表的にケーブルＬ１に設けられる第２の識別部４．１Ｆ，ケーブルＬ２に設けられる第２の識別部４．２ＦおよびケーブルＬ６に設けられる第２の識別部４．６Ｆが示される。集合ケーブル１Ｆの他の部分については集合ケーブル１の対応する部分と同様であるので以後の説明は繰り返さない。
【００６５】
第１の識別部３．１Ｆ〜３．２４Ｆにはそれぞれ異なる色が付される。また、各ケーブルの先端に設けられる第２の識別部には次の回線番号を示す色が付される。
【００６６】
ケーブルを示す色の具体例について説明すると、ケーブルＬ１を示す色は赤であり、ケーブルＬ２を示す色はピンク色であり、ケーブルＬ３示す色は緑色であり、ケーブルＬ４を示す色は青色である。たとえば第１の識別部３．１Ｆの色は赤色であり、第２の識別部４．１Ｆの色はピンク色である。
【００６７】
各ケーブルを示す色が互いに異なることによりケーブルを区別できるとともに、複数のケーブルが乱雑な状態で置かれている場合であっても、所定のケーブルを見つけることができる。
【００６８】
以上のように実施の形態７によれば、各ケーブルに自回線を示す色と次の回線番号のケーブルを示す色とが付されることによって、複数のケーブルが乱雑に置かれた状態であっても容易に所定のケーブルを見つけることができる。
【００６９】
［実施の形態８］
図８は、実施の形態８の集合ケーブルを示す図である。
【００７０】
図８を参照して、集合ケーブル１Ｇは、ケーブルＬ１〜Ｌ２４の各ケーブルに回線番号が書かれたラベル５．１Ｇ〜５．２４Ｇが識別部３．１Ｇ〜３．２４Ｇに付されている点において図７の集合ケーブル１Ｆと異なる。集合ケーブル１Ｇの他の部分については集合ケーブル１Ｆの対応する部分と同様であるので以後の説明は繰り返さない。
【００７１】
集合ケーブルに含まれるケーブルの本数が多くなるとケーブルに付される色が重複することが考えられる。実施の形態８では回線番号が書かれたラベルが付されているので実施の形態７よりも確実にケーブルを特定することができる。
【００７２】
以上のように実施の形態８によれば乱雑に置かれた状態の複数のケーブルの中から容易に所定のケーブルを見つけることができる。
【００７３】
なお、集合ケーブル１Ｇと同様に、集合ケーブル１Ａ〜１Ｅの各集合ケーブルについて、ケーブルＬ１〜Ｌ２４のそれぞれに回線番号が記されたラベルが付されているように構成されてもよい。
【００７４】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【図面の簡単な説明】
【００７５】
【図１】実施の形態１の集合ケーブルを示す図である。
【図２】実施の形態２の集合ケーブルを示す図である。
【図３】実施の形態３の集合ケーブルを示す図である。
【図４】実施の形態４の集合ケーブルを示す図である。
【図５】実施の形態５の集合ケーブルを示す図である。
【図６】実施の形態６の集合ケーブルを示す図である。
【図７】実施の形態７の集合ケーブルを示す図である。
【図８】実施の形態８の集合ケーブルを示す図である。
【図９】従来の集合ケーブルを模式的に示す図である。
【符号の説明】
【００７６】
１，１Ａ-１Ｇ，１１  集合ケーブル、２  集合コネクタ、３．１〜３．２４，３．１Ａ〜３．２４Ａ，３．１Ｂ〜３．２４Ｂ，３．１Ｃ〜３．２４Ｃ，３．１Ｄ〜３．２４Ｄ，３．１Ｅ〜３．２４Ｅ，３．１Ｇ〜３．２４Ｇ  識別部、３．１Ｆ〜３．２４Ｆ  第１の識別部、４．１Ｆ，４．２Ｆ，４．６Ｆ  第２の識別部、４．１〜４．２４  非識別部、５．１〜５．２４、５．１Ｇ〜５．２４Ｇ  ラベル、Ｌ１〜Ｌ２４  ケーブル。
【図１】
0003113181.tif 000003
【図２】
0003113181.tif 000004
【図３】
0003113181.tif 000005
【図４】
0003113181.tif 000006
【図５】
0003113181.tif 000007
【図６】
0003113181.tif 000008
【図７】
0003113181.tif 000009
【図８】
0003113181.tif 000010
【図９】
0003113181.tif 000011